(57)【要約】【課題】枠体どうしの相互位置ずれに殆ど影響されることなく１のセンサによって複数の枠体の開閉を検出することができ、正確な開閉検出と部品コストの低減を両立させることのできる開閉検出ユニット及びその開閉検出ユニットを有する遊技機を提供すること。【解決手段】この開閉検出ユニット１は、パチンコ機２全体を囲む筐体枠４と機枠８との開閉、及び、機枠８と装飾枠１２との開閉を検出するために、筐体枠４、機枠８又は装飾枠１２のいずれか１の枠体にのみ取り付けられた開閉検出ユニットであって、１のフォトインタラプタ１ａと、取り付けられた１の枠体以外の他の枠体に付勢される当接部１ｄ，１ｅとを有し、筐体枠４と機枠８との開閉及び機枠８と装飾枠１２との開閉の両方を検出可能である。【選択図】図３
2008125762.tif 000002
【特許請求の範囲】
【請求項１】
遊技機全体を囲む筐体枠体と該筐体枠体に対して前面開閉可能に揺動支持された第１枠体との開閉、及び、
該第１枠体と該第１枠体に対して前面開閉可能に揺動支持された第２枠体との開閉を検出するために、前記筐体枠体、前記第１枠体又は前記第２枠体のいずれか１の枠体にのみ取り付けられた開閉検出ユニットであって、
１の開閉センサと、
前記取り付けられた１の枠体以外の他の枠体に付勢される当接部と、を有し、
前記筐体枠体と前記第１枠体との開閉及び前記第１枠体と前記第２枠体との開閉の両方を検出可能である開閉検出ユニット。
【請求項２】
前記開閉センサが、前記いずれの枠体の開閉によっても前記取り付けられた１の枠体から移動しないように、該取り付けられた１の枠体に固定されている請求項１に記載の開閉検出ユニット。
【請求項３】
前記１の枠体が前記第１枠体である請求項１又は請求項２に記載の開閉検出ユニット。
【請求項４】
前記開閉センサが、光検出器である請求項１から請求項３のうちいずれか１項に記載の開閉検出ユニット。
【請求項５】
前記開閉センサが、マイクロスイッチである請求項１から請求項３のうちいずれか１項に記載の開閉検出ユニット。
【請求項６】
遊技機全体を囲む筐体枠体と、
遊技媒体による遊技を演出し、前記第１枠体又は前記第２枠体の少なくともいずれか一方に保持される遊技装置体と、
前記筐体枠体に対して前面開閉可能に揺動支持された第１枠体と、
前記遊技装置体に対して一定距離離間して配置された前面透明板と、
該前面透明板又はその周囲を囲む装飾部材を保持し、前記第１枠体に対して前面開閉可能に揺動支持された第２枠体と、
前記遊技媒体を貯留する貯留皿と、
請求項１から請求項５のうちいずれか１項に記載の開閉検出ユニットと、を有する遊技機。
【発明の詳細な説明】
【技術分野】
【０００１】
本発明は、開閉検出ユニット及び遊技機に係り、特に、１のセンサによって複数の枠体の開閉を検出することのできる開閉検出ユニット及びその開閉検出ユニットを有する遊技機に関する。
【背景技術】
【０００２】
パチンコ機等の弾球遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機は、機器全体が複数の枠により囲まれるように構成されて、球の円滑な流下、遊技者による遊技盤への不正アクセス防止、パチンコホールへの設置性の向上、メンテナンス性の向上等様々な機能を実現している。
【０００４】
具体的には、木材や樹脂等で形成された筐体枠が、パチンコ機全体の主に上下面及び左右側面を囲むように構成されている。そして、その筐体枠の前面、すなわち遊技者側には機枠が筐体枠に対して開閉及び施錠可能に配置され、この機枠が遊技盤を保持している。さらにその機枠の前面には装飾枠が機枠に対して開閉及び施錠可能に配置され、この装飾枠が遊技盤前面の前面透明板やその周囲に配置される各種装飾部材を保持している。
【０００５】
このように、パチンコ機は、遊技者の遊技盤に対する不正アクセスを前面からも上下左右側面からも不可能に構成されている。また、パチンコホールの店員が遊技盤や機枠裏面側の裏機構盤をメンテナンスする必要がある場合には、必要に応じて装飾枠や機枠を解錠開閉し、店員が容易にアクセス可能となるように構成されている。
【０００６】
しかしながら、遊技者によっては、機枠や装飾枠の施錠装置を不正に解錠し、機枠や装飾枠を不正開閉して遊技盤やその他のパチンコ機内部部品にアクセスする場合がある。したがって、筐体枠に対して機枠が開放されたことや機枠に対して装飾枠が開放されたことを正確に検出し、パチンコ機に接続された管理コンピュータに通知したり警告を表示したりする必要がある。
【０００７】
機枠や装飾枠の開閉を検出するために、従来のパチンコ機においては開閉センサがそれぞれ設けられている。すなわち、筐体枠に対する機枠の開閉を検出するために、機枠開閉センサが設けられ、機枠に対する装飾枠の開閉を検出するために、装飾枠開閉センサが設けられている。
【０００８】
しかし、枠ごとに開閉センサを設けるとセンサの個数が多くなってしまい、パチンコ機のコスト増加に繋がってしまう。また、各開閉センサからの配線も必要となるため、組立て作業も煩雑となってしまう。
【０００９】
そこで、機枠の開閉及び装飾枠の開閉の２つの開閉検出を１つの開閉センサによって行う構成が、例えば特許文献１に開示されている。これによれば、１つの開閉センサによって機枠及び装飾枠の両方の開閉を検出できるので、部品点数やコストを削減することができる。
【００１０】
【特許文献１】特開２００１−３２３７２２号公報
【発明の開示】
【発明が解決しようとする課題】
【００１１】
しかしながら、特許文献１に開示のものにおいては、センサスイッチとそのセンサスイッチに枠開閉を検出させるプランジャとが別々の枠に設けられているので、開閉検出の精度に欠けるという問題がある。すなわち、センサスイッチが取り付けられる枠とプランジャが取り付けられる枠との相互位置にずれが生じると、プランジャが正確にセンサスイッチに作用することができなくなり、正確に開閉検出を行うことができない。
【００１２】
また、センサスイッチが装飾枠（窓付きドア）に取り付けられているので、センサスイッチからセンサ基板への配線の引き回しが面倒であり、配線部品や配線作業にかかるコストも大きくなってしまう。
【００１３】
本発明は上記の事情に鑑みて為されたもので、枠体どうしの相互位置ずれに殆ど影響されることなく１のセンサによって複数の枠体の開閉を検出することができ、正確な開閉検出と部品コストの低減を両立させることのできる開閉検出ユニット及びその開閉検出ユニットを有する遊技機を提供することを例示的課題とする。
【００１４】
そのセンサからの配線の引き回しが簡単であり、配線コストを低減することができる開閉検出ユニット等を提供することを他の例示的課題とする。
【課題を解決するための手段】
【００１５】
上記の課題を解決するために、本発明の例示的側面としての開閉検出ユニットは、遊技機全体を囲む筐体枠体と筐体枠体に対して前面開閉可能に揺動支持された第１枠体との開閉、及び、第１枠体と第１枠体に対して前面開閉可能に揺動支持された第２枠体との開閉を検出するために、筐体枠体、第１枠体又は第２枠体のいずれか１の枠体にのみ取り付けられた開閉検出ユニットであって、１の開閉センサと、取り付けられた１の枠体以外の他の枠体に付勢される当接部と、を有し、筐体枠体と第１枠体との開閉及び第１枠体と第２枠体との開閉の両方を検出可能であることを特徴とする。
【００１６】
１の開閉センサによって筐体枠体と第１枠体との開閉及び第１枠体と第２枠体との開閉を検出するので、部品点数や部品コストの削減に寄与することができる。また、配線作業も簡単となる。その１の開閉センサが、筐体枠体、第１枠体、第２枠体のうちの１の枠体にのみ取り付けられているので、枠体どうしの相互位置に多少のずれが生じた場合でも確実かつ正確に開閉検出を行うことができる。
【００１７】
ここで、遊技機としては、パチンコ機の他、パチスロ機、スロットマシン、その他の各種遊技機が考えられる。また、筐体枠体は例えば遊技機の筐体枠であり、第１枠体は例えば遊技を演出する遊技装置体（例えば、遊技盤）を保持する機枠であり、第２枠体は例えば前面透明板又はその周囲を囲む装飾部材を保持する装飾枠であってもよい。もちろん第２枠体が遊技装置体をも保持するものであってもよい。
【００１８】
開閉検出ユニットの開閉センサが、いずれの枠体の開閉によっても取り付けられた１の枠体から移動しないように、取り付けられた１の枠体に固定されていてもよい。
【００１９】
開閉センサが１の枠体に固定されているので、いずれかの枠体の開閉動作により開閉センサの取付け位置がずれてしまうことがなく、より一層正確かつ確実な開閉検出が可能となる。
【００２０】
開閉検出ユニットが取り付けられる１の枠体が第１枠体であってもよい。例えば、第１枠体が、パチンコ機において遊技盤を保持する機枠である場合、開閉センサからの配線が容易なものとなる。
【００２１】
開閉センサからの配線が接続される接続先としてのセンサ基板は、通常、機枠の裏面側又は機枠が保持する遊技盤の裏面側に配置される。したがって、開閉検出ユニットが機枠でなく他の枠体（筐体枠体としての筐体枠や第２枠体としての装飾枠）に取り付けられている場合は、開閉検出ユニットからの配線をいったん揺動支持部としてのヒンジ部近傍に引き回した上で、機枠裏面側のセンサ基板へと引き回す必要がある。しかし、開閉検出ユニットが機枠に取り付けられているので、わざわざヒンジ部へと配線を引き回す必要がない。配線部材も少なくて済むので部品コストも低減することができ、また配線作業も簡単となって作業効率も向上する。
【００２２】
開閉センサが、光検出器であってもよい。非接触タイプの光検出器を開閉センサとして用い、光の遮光・透光によって枠体の開閉を検出するので、開閉検出ユニットの信頼性向上、寿命向上に寄与することができる。
【００２３】
開閉センサが、マイクロスイッチもよい。マイクロスイッチを用いることにより、簡単かつ安価に開閉検出ユニットを構成することができる。
【００２４】
本発明の他の例示的側面としての遊技機は、遊技機全体を囲む筐体枠体と、遊技媒体による遊技を演出し、第１枠体又は第２枠体の少なくともいずれか一方に保持される遊技装置体と、筐体枠体に対して前面開閉可能に揺動支持された第１枠体と、遊技装置体に対して一定距離離間して配置された前面透明板と、前面透明板又はその周囲を囲む装飾部材を保持し、第１枠体に対して前面開閉可能に揺動支持された第２枠体と、遊技媒体を貯留する貯留皿と、上記の開閉検出ユニットと、を有することを特徴とする。
【００２５】
この遊技機は上記の開閉検出ユニットを有しているので、遊技機の部品点数、部品コストを低減することができる上に、配線作業が簡単となって遊技機の組立て性も向上する。しかも、枠体どうしの相互位置に多少のずれが生じた場合でも確実かつ正確に開閉検出を行うことができるので、遊技機の枠体の不正開放を確実に検出することができ、開閉検出の信頼性が向上する。
【００２６】
ここで、遊技機としては、パチンコ機の他、パチスロ機、スロットマシン、その他の各種遊技機が考えられる。例えばパチンコ機において、筐体枠体がパチンコ機全体を囲む筐体枠であり、第１枠体が遊技装置体としての遊技盤を保持する機枠であり、第２枠体が前面透明板又はその周囲を囲む装飾部材を保持する装飾枠であってもよい。
【００２７】
一方、スロットマシンにおいては、最前面に配置された第２枠体が回胴体をも保持するものであってもよい。すなわち、筐体枠体がスロットマシン全体を囲む筐体枠であり、第１枠体が筐体枠に対して前面開閉可能に揺動支持された機枠であり、第２枠体が遊技装置体としての回胴体と前面透明板又はその周囲を囲む装飾部材とを保持する装飾枠であってもよい。この場合において、スロットマシンにおいては筐体枠と機枠とが一体とされたものであってももちろんよい。
【００２８】
本発明の更なる目的又はその他の特徴は、以下添付図面を参照して説明される好ましい実施の形態によって明らかにされるであろう。
【発明の効果】
【００２９】
本発明によれば、枠体どうしの相互位置ずれに殆ど影響されることなく１の開閉センサによって複数の枠体の開閉を検出することができ、正確かつ確実な開閉検出と部品点数、部品コストの低減とを両立させることができる。しかも、その開閉センサからの配線の引き回しを簡単にすることができ、配線コスト低減や配線作業性向上も実現することができる。この開閉検出ユニットを遊技機に用いた場合は、その遊技機のコスト低減、組立て性向上、枠体の不正開放防止に寄与することができる。
【発明を実施するための最良の形態】
【００３０】
［実施の形態１］
以下、本発明の実施の形態１について図面を用いて説明する。図１は、本発明の実施の形態１に係る開閉検出ユニット１（図２も参照）を有する遊技機としてのパチンコ機２の外観斜視図である。また、図２は、このパチンコ機２を上面から見た平面図である。図１、図２においては、パチンコ機２の装飾枠１２が開放された状態を示している。
【００３１】
パチンコ機は、組合せ式パチンコ機、封入循環式パチンコ機等を含む。また、遊技機としてはパチンコ機の他に、遊技媒体としてコインを使用するパチスロ機やスロットマシン、各種ゲーム機やアーケードマシン等が概念できる。
【００３２】
パチンコ機２は、筐体枠（筐体枠体）４、遊技盤（遊技装置体）６、機枠（第１枠体）８、前面透明板１０、装飾枠（第２枠体）１２、上皿（貯留皿）１４、開閉検出ユニット１を有して構成されている。パチンコ機２は、さらに、球発射装置（図示せず。）、発射ハンドル１６を有している。
【００３３】
筐体枠４は、このパチンコ機２全体を囲むための枠体であり、平面視略長方形に構成されている。材料としては、木材が用いられることが多いが、他に樹脂やアルミ等の金属が用いられることもある。筐体枠４は、パチンコ機２全体の上下面及び左右側面を囲い、前面（すなわち、遊技者側）から見て左側面側には機枠８を揺動支持するためのヒンジ部１８が設けられている。
【００３４】
遊技盤６は、このパチンコ機２において、遊技媒体としての球２０による遊技を演出するためのものである。遊技盤６の遊技盤面６ａには、略円形状に周囲を囲むようにレール２２が取り付けられ、このレール２２によって遊技領域６ｂが画定されている。
【００３５】
その遊技領域６ｂ内には多数のゲージ２４、入賞口２６、図柄表示装置２８、アウト口３０、その他の各種役物が配置されている。図示しない球発射装置により球２０が遊技領域６ｂ内の上部に向けて発射されると、球２０がゲージ２４に衝突してその流下方向を変えつつ遊技領域６ｂ内を流下するようになっている。その流下の途中で、あるものは入賞口２６に入賞して景品球払出しの契機となり、あるものは図柄表示装置２８による図柄変動遊技開始の契機となり、また、あるものはいずれの入賞口２６にも入賞せずにアウト口３０からパチンコ機２の外部へと排出される。このように、遊技盤６上を球２０が流下する際に、様々な遊技が演出されるようになっている。
【００３６】
遊技盤６の裏面側には入賞口２６に入賞した入賞球やアウト口３０に流入したアウト球を排出するための球経路、図柄表示装置２８の図柄表示制御を行う図柄表示制御基板（図示せず。）、各種役物の動作制御を行う役物制御基板が配置されるが詳細は省略する。
【００３７】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前面側に配置されてヒンジ部１８において筐体枠４に軸支され、筐体枠４に対して前面開閉可能に揺動支持されている。機枠８の前面から見て左側面側には、装飾枠１２を揺動支持するためのヒンジ部１９が設けられている。機枠８は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。また、このパチンコ機２全体の制御を行うためのメイン制御基板（図示せず。）や後述する開閉検出ユニット１からの配線が接続されるセンサ基板（図示せず。）も配置されている。
【００３８】
前面透明板１０は、遊技盤６に対して一定距離離間して配置された透明板である。前面透明板１０は透明平板で形成され、遊技盤６との間に球２０が流下する流下空間を形成する機能、遊技者が前面透明板１０を通して遊技盤６を視認できるように視認性を確保する機能、遊技者が遊技盤６に不正にアクセス（接触）できないように不正アクセスを防止する機能、を発揮する。
【００３９】
そのため、前面透明板１０の素材としては一般にガラスが使用されるが、もちろん透明アクリル等の樹脂材料が使用されてもよい。また、本実施の形態１においては、前面透明板１０が後述する装飾枠１２に保持されるが、前面透明板１０が遊技盤６の前面に取り付けられて、遊技盤６とともに機枠８に保持されるように構成されていてもよい。
【００４０】
装飾枠１２は、前面透明板１０又はその周囲を囲む装飾部材３２を保持するための枠体である。本実施の形態１においては、装飾枠１２は、前面透明板１０及び装飾部材３２の両方を保持している。その装飾枠１２は、機枠８の前面側に配置されてヒンジ部１９において機枠８に軸支され、機枠８に対して前面開閉可能に揺動支持されている。
【００４１】
装飾枠１２は樹脂又は金属によって形成され、その中央部には前面透明板１０を取り付けるための取付け開口が形成されている。その前面透明板１０の周囲には、パチンコ機２を装飾するための造形・色彩・ランプが付された装飾部材３２が取り付けられ、パチンコ機２の遊技演出に寄与している。
【００４２】
なお、本実施の形態１では、筐体枠４にヒンジ部１８が設けられて機枠８が軸支され、機枠８にヒンジ部１８とは異なるヒンジ部１９が設けられて装飾枠１２が軸支されている。しかしながら、筐体枠４に、機枠８を揺動支持するヒンジ部１８と装飾枠１２を揺動支持するヒンジ部１９との両方が設けられていてももちろんよい。ヒンジ部１８とヒンジ部１９とが共通の部材であり、筐体枠４に設けられたヒンジ部１８が機枠８と装飾枠１２とをともに揺動支持する構成であってもよい。
【００４３】
上皿１４は、球２０を球発射装置に導くべく貯留するためのもので、下皿１５とともに遊技者の持ち球を貯留する機能を有する。上皿１４は、パチンコ機２の前面であって遊技盤６の下方、すなわち装飾枠１２の下方部分に配置され、下皿１５は、その上皿１４のさらに下方に配置されている。本実施の形態１においては、上皿１４と下皿１５とを別々に構成しているが、もちろん上皿１４と下皿１５とが一体となって１つの貯留皿が構成されていてもよい。
【００４４】
上皿１４は、景品球としてパチンコ機２から払い出された球２０を受け取る機能や、その球２０を球供給装置（いわゆる整流器、図示せず。）を介して球発射装置に導くべく貯留する機能を有している。また、球２０が多量となって上皿１４に貯留し切れなくなった場合や遊技者が遊技を終了する場合に、球排出ボタン１４ｂによって下皿１５へと球２０を排出することができるようになっている。
【００４５】
開閉検出ユニット１は、筐体枠４と機枠８との開閉及び機枠８と装飾枠１２との開閉を検出するためのものである。図３（ａ），（ｂ）は、開閉検出ユニット１の概略構造を示す構造図である。
【００４６】
開閉検出ユニット１は、開閉センサとしてのフォトインタラプタ（光検出器）１ａ及び２つの遮光部材１ｂ，１ｃを有している。フォトインタラプタ１ａは、機枠８に対して移動不可能、すなわち相対位置が変化しないように固定されている。また、遮光部材１ｂは中心軸３を中心として回転可能に軸支された不透明部材であり、筐体枠４に対して、その当接部１ｄで当接するようにバネ・樹脂・ゴム等の付勢部材１ｈにより付勢されている。同様に、遮光部材１ｃも中心軸３を中心として回転可能に軸支された不透明部材であり、装飾枠１２に対して、その当接部１ｅで当接するように付勢部材１ｊにより付勢されている。図３（ａ），（ｂ）においては付勢部材１ｈ，１ｊを別部材としているが、もちろんこれらが一体となった１つの付勢部材により、遮光部材１ｂ，１ｃの両方がそれぞれ筐体枠４及び装飾枠１２に対して付勢されていてもよい。
【００４７】
図３（ａ）に示すように、この遮光部材１ｂは、筐体枠４に対して機枠８が閉鎖状態にあるとき、当接部１ｄが筐体枠４に当接することにより遮光部１ｆがフォトインタラプタ１ａの検出光１ｋを遮光する位置から外れ、検出光１ｋが透光されるように設定されている。同様に、遮光部材１ｃは、機枠８に対して装飾枠１２が閉鎖状態にあるとき、当接部１ｅが装飾枠１２に当接することにより遮光部１ｇがフォトインタラプタ１ａの検出光１ｋを遮光する位置から外れ、検出光１ｋが透光されるように設定されている。
【００４８】
一方、図３（ｂ）に示すように、筐体枠４に対して機枠８が開放状態にあるとき、付勢部材１ｈの作用により遮光部材１ｂが矢印Ｘの方向に付勢されて、遮光部１ｆがフォトインタラプタ１ａの検出光１ｋの遮光位置に入り、遮光部１ｆが検出光１ｋを遮光するように設定されている。同様に、機枠８に対して装飾枠１２が開放状態にあるとき、付勢部材１ｊの作用により遮光部材１ｃが矢印Ｙの方向に付勢されて、遮光部１ｇがフォトインタラプタ１ａの検出光１ｋの遮光位置に入り、遮光部１ｇが検出光１ｋを遮光するように設定されている。
【００４９】
上記の構造により、この開閉検出ユニット１においては、筐体枠４、機枠８、装飾枠１２のすべてが閉鎖状態にあるとき、フォトインタラプタ１ａの検出光１ｋが透光状態となり、筐体枠４と機枠８又は機枠８と装飾枠１２の少なくともいずれか一方が開放状態にあるとき、検出光１ｋが遮光状態となる。
【００５０】
したがって、フォトインタラプタ１ａの検出光１ｋが透光状態のときに「正常」と判断し、遮光状態のときに「異常」と判断する判断回路を開閉検出ユニット１に接続すれば、すべての枠体の閉鎖時を正常、いずれかの枠体の開放時を異常と判断することができる。
【００５１】
なお、本実施の形態１においては、説明及び図示容易のために、開閉検出ユニット１を機枠８の上面側に配置しているが、もちろん、開閉検出ユニット１は機枠８の内面側や側面等いずれの位置に配置することもできる。開閉検出ユニット１は、検出感度向上のため機枠８の前面から見て右側、すなわちヒンジ部１８，１９の反対側に配置することが望ましい。その場合であっても、開閉検出ユニット１が機枠８に設けられているので、センサ基板への配線の引き回しが簡単である。わざわざ、開閉検出ユニット１からいったんヒンジ部１８，１９近傍まで引き回した後、再度ヒンジ部１８，１９近傍からセンサ基板まで引き回す必要がない。
【００５２】
また、フォトインタラプタ１ａが機枠８に対して固定されているので、枠体の開閉動作が繰り返し行われてもフォトインタラプタ１ａの位置ずれを生じることがない。しかも、検出光１ｋによる非接触検出により枠体の開閉検出を行っているので、検出接点が接触するタイプのものに比べ、動作安定性、耐摩耗性に優れる。このような構成により、この開閉検出ユニット１は開閉検出の信頼性が高いものとなっている。
【００５３】
さらに、開閉検出ユニット１を構成する各要素、すなわちフォトインタラプタ１ａ、遮光部材１ｂ，１ｃがすべて１の枠体としての機枠８に取り付けられているので、各要素どうしの位置ずれを生じない。したがって、枠体の繰り返し開閉動作によって各枠体の相対位置が多少ずれてしまっても、開閉検出ユニット１の各要素の位置ずれがないので、精度高くかつ信頼性高く枠体の開閉検出を行うことができる。
【００５４】
図示しない球発射装置は、遊技媒体としての球（パチンコ球）２０を遊技領域６ｂの上部に向けて発射（弾球）するためのものである。球発射装置は、例えば発射位置に送り出された球２０を遊技領域６ｂに向けて弾球する発射杆、その発射杆を駆動して弾球往復動を行わせる発射モータ、発射杆を付勢して弾球のための力を発生させる発射バネ等を有してユニット構成され、機枠８に取り付けられている。
【００５５】
発射ハンドル１６は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆１６ａが回転可能となっている。遊技者は、発射ハンドル１６を手で保持しつつ、強度調整杆１６ａを回転させることにより、球２０の発射強度を調整することができるようになっている。
【００５６】
なお、本実施の形態１においては、遊技機としてのパチンコ機２について説明したが、もちろん上述のように、遊技機としてはパチスロ機やスロットマシン、各種ゲーム機やアーケードマシン等が概念できる。ここで、パチスロ機やスロットマシンの場合は、コインが遊技媒体に相当し、回胴体が遊技装置体に相当する。スロットマシンの場合は、回胴体は装飾枠に保持される構成となる。
【００５７】
［実施の形態２］
上記実施の形態１においては、遮光部材１ｂ，１ｃを不透明部材としているが、遮光部材１ｂ，１ｃを半透明部材としてもよい。例えば、遮光部材１ｂ，１ｃの材質及び厚さを調整し、１つの遮光部材により検出光１ｋの光強度が５０％となるようにしてもよい。
【００５８】
それにより、フォトインタラプタ１ａにて検出された検出光１ｋの光強度が１００％の場合はすべての枠体が閉鎖状態であり、５０％の場合は筐体枠４と機枠８又は機枠８と装飾枠１２のいずれか一方が開放状態であり、２５％の場合は筐体枠４と機枠８及び機枠８と装飾枠１２のいずれもが開放状態であると検出することができる。
【００５９】
また、例えば、遮光部材１ｂにより検出光１ｋの光強度が７０％となり、遮光部材１ｃにより検出光１ｋの光強度が４０％となるように、各遮光部材の光透過率が異なるように構成してもよい。それにより、フォトインタラプタ１ａにて検出された検出光１ｋの光強度が１００％の場合はすべての枠体が閉鎖状態であり、７０％の場合は筐体枠４と機枠８とが開放状態であり、４０％の場合は機枠８と装飾枠１２とが開放状態であり、２８％の場合は筐体枠４と機枠８及び機枠８と装飾枠１２のいずれもが開放状態であると検出することができる。光の検出強度に応じて、いずれの枠体が開放状態であるかを検出することができるので、１つのフォトインタラプタ１ａのみによって多くの検出情報を得ることができる。
【００６０】
［実施の形態３］
図４（ａ）〜（ｃ）は、本発明の実施の形態３に係る開閉検出ユニット５１を有するパチンコ機２を上面から見た、各枠体の部分断面図である。この開閉検出ユニット５１は、１の枠体としての機枠８に取り付けられ、マイクロスイッチ（開閉センサ）５２、圧縮バネ５３、ベース部材５４を有して構成されている。
【００６１】
マイクロスイッチ５２は、先端に筐体枠４に当接するスイッチ部（当接部）５２ａを有し、このスイッチ部５２ａが図４（ａ）に示すように筐体枠４によって押し込まれることにより、枠体の閉鎖状態を検出するようになっている。一方、このスイッチ部５２ａが図４（ｂ），（ｃ）に示すように突出状態となると、マイクロスイッチ５２は枠体の開放状態を検出するようになっている。
【００６２】
マイクロスイッチ５２は、断面略コ字状のベース部材５４の底部（当接部）５４ａに固定され、そのベース部材５４の周囲に設けられた受け部５４ｂと機枠８との間には圧縮バネ５３が配置されている。この圧縮バネ５３が図中矢印Ｚ方向にマイクロスイッチ５２及びベース部材５４を付勢することにより、ベース部材５４の底部５４ａが装飾枠１２に付勢されるようになっている。
【００６３】
図４（ｂ）に示すように、筐体枠４に対して機枠８が開放されると、マイクロスイッチ５２のスイッチ部５２ａと筐体枠４との付勢状態が解除され、スイッチ部５２ａが突出する。それにより、枠体の開放状態を検出することができるようになっている。
【００６４】
また、図４（ｃ）に示すように、機枠８に対して装飾枠１２が開放されると、底部５４ａと装飾枠１２との付勢状態が解除され、圧縮バネ５３の働きによりマイクロスイッチ５２及びベース部材５４が図中矢印Ｐ方向に移動する。マイクロスイッチ５２の移動に伴い、スイッチ部５２ａと筐体枠４との付勢状態が解除され、やはりスイッチ部５２ａが突出する。それにより、枠体の開放状態を検出することができるようになっている。
【００６５】
このように、この実施の形態２に係る開閉検出ユニット５１は、筐体枠４、機枠８、装飾枠１２の少なくともいずれかが開放状態にあるか、それともすべてが閉鎖状態にあるかを１のマイクロスイッチ５２によって検出することができるようになっている。
【００６６】
［実施の形態４］
図５（ａ）〜（ｃ）は、本発明の実施の形態４に係る開閉検出ユニット６１を有するパチンコ機２を上面から見た、各枠体の部分断面図である。この開閉検出ユニット６１は、１の枠体としての筐体枠４に取り付けられ、マイクロスイッチ（開閉センサ）６２を有して構成されている。
【００６７】
マイクロスイッチ６２は筐体枠４に固定され、マイクロスイッチ６２に対応する機枠８の部分には貫通孔８ａが形成されている。マイクロスイッチ６２の先端は、機枠８を貫通して装飾枠１２に当接するスイッチ部（当接部）６２ａを有し、このスイッチ部６２ａが図５（ａ）に示すように装飾枠１２によって押し込まれることにより、枠体の閉鎖状態を検出するようになっている。一方、このスイッチ部６２ａが図５（ｂ），（ｃ）に示すように突出状態となると、マイクロスイッチ６２は枠体の開放状態を検出するようになっている。
【００６８】
図５（ｂ）に示すように、機枠８に対して装飾枠１２が開放されると、マイクロスイッチ６２のスイッチ部６２ａと装飾枠１２との付勢状態が解除され、スイッチ部６２ａが突出する。それにより、枠体の開放状態を検出することができるようになっている。
【００６９】
また、図５（ｃ）に示すように、筐体枠４に対して機枠８が開放されると、やはりマイクロスイッチ６２のスイッチ部６２ａと装飾枠１２との付勢状態が解除され、スイッチ部６２ａが突出する。それにより、枠体の開放状態を検出することができるようになっている。
【００７０】
このように、この実施の形態３に係る開閉検出ユニット６１は、筐体枠４、機枠８、装飾枠１２の少なくともいずれかが開放状態にあるか、それともすべてが閉鎖状態にあるかを１のマイクロスイッチ６２によって検出することができるようになっている。
【００７１】
以上、本発明の好ましい実施の形態を説明したが、本発明はこれらに限定されるものではなく、その要旨の範囲内で様々な変形や変更が可能である。
【図面の簡単な説明】
【００７２】
【図１】本発明の実施の形態１に係る開閉検出ユニットを有するパチンコ機の外観斜視図である。
【図２】図１に示すパチンコ機を上面から見た平面図である。
【図３】図２に示す開閉検出ユニットの概略構造を示す構造図であって、（ａ）は、筐体枠、機枠、装飾枠が閉鎖された状態を示し、（ｂ）は筐体枠、機枠、装飾枠が開放された状態を示す。
【図４】本発明の実施の形態３に係る開閉検出ユニットを有するパチンコ機を上面から見た、各枠体の部分断面図であって、（ａ）は筐体枠、機枠、装飾枠が閉鎖された状態を示し、（ｂ）は筐体枠に対し機枠が開放された状態を示し、（ｃ）は機枠に対し装飾枠が開放された状態を示す。
【図５】本発明の実施の形態４に係る開閉検出ユニットを有するパチンコ機を上面から見た、各枠体の部分断面図であって、（ａ）は筐体枠、機枠、装飾枠が閉鎖された状態を示し、（ｂ）は機枠に対し装飾枠が開放された状態を示し、（ｃ）は筐体枠に対し機枠が開放された状態を示す。
【符号の説明】
【００７３】
Ｘ，Ｙ，Ｚ，Ｐ：矢印
１，５１，６１：開閉検出ユニット
１ａ：フォトインタラプタ（開閉センサ、光検出器）
１ｂ，１ｃ：遮光部材
１ｄ，１ｅ：当接部
１ｆ，１ｇ：遮光部
１ｈ，１ｊ：付勢部材
１ｋ：検出光
２：パチンコ機（遊技機）
３：中心軸
４：筐体枠（筐体枠体）
６：遊技盤（遊技装置体）
６ａ：遊技盤面
６ｂ：遊技領域
８：機枠（第１枠体）
８ａ：貫通孔
１０：前面透明板
１２：装飾枠（第２枠体）
１４：上皿（貯留皿）
１４ｂ：球排出ボタン
１５：下皿
１６：発射ハンドル
１６ａ：強度調整杆
１８，１９：ヒンジ部
２０：球（遊技媒体）
２２：レール
２４：ゲージ
２６：入賞口
２８：図柄表示装置
３０：アウト口
３２：装飾部材
５２，６２：マイクロスイッチ（開閉センサ）
５２ａ，６２ａ：スイッチ部（当接部）
５３：圧縮バネ
５４：ベース部材
５４ａ：底部（当接部）
５４ｂ：受け部
【図１】
2008125762.tif 000003
【図２】
2008125762.tif 000004
【図３】
2008125762.tif 000005
【図４】
2008125762.tif 000006
【図５】
2008125762.tif 000007